(57)【要約】【課題】好適な棒連結器を提供すること。【解決手段】棒、例えば鉄筋を接合する連結器または接続器は、管状のスリーブ部材に挿入されるように適合される細長いロッド部材を含む。各ロッドおよびスリーブ部材は、ロッド部材がスリーブ部材に挿入された場合に整列する１つ以上の横穴を有する。動作使用において、ロッドおよびスリーブ部材は、接続される棒の自由な端部に取り付けられる。次いで１つ以上の横ピンがロッドおよびスリーブ部材を一緒にロックするために整列された穴へ駆動され、それによって棒を接続する。発明の別例において、ピンはばね負荷され得るか、および／または細長いロッド部材が１対の対向するスリーブ部材に挿入されるように適合される。発明のさらに別例において、ピンを位置に保持するように適合されるプラスチックスリーブがあり得、それによってスリーブおよびロッド部材を適所にロックする。【選択図】図５Ａ
2014231735.tif 000002
【特許請求の範囲】
【請求項１】
第１および第２のコンクリート補強棒を相互に接合する接続器アセンブリであって、前記アセンブリは、
第１のコンクリート補強棒に取り付けられるように適合される第１の接続端部と、対向する第２の開放端部とを有する管状のスリーブ部材と、
第２のコンクリート補強棒に取り付けられるように適合される第２の接続端部と、前記管状のスリーブ部材の前記開放端部の中に挿入されるよう適合される対向する挿入端部とを備える細長いロッド部材と
を備え、
前記ロッド部材は、前記ロッド部材の全幅を通って延在する横ボア内に各々保持される少なくとも第１および第２のばね負荷ピンを有し、
前記ロッド部材が前記スリーブ部材の中に挿入されると、前記ピンは、外側に付勢して、前記スリーブ部材の補助整列横穴を通り、それにより、前記ロッド部材および前記スリーブ部材を一緒にロックする、アセンブリ。
【請求項２】
前記ピンを押し込めるための前記ロッド部材に関連付けられるプラスチックスリーブが存在し、前記プラスチックスリーブは、前記ロッド部材が前記スリーブ部材の中に挿入されると変位し、それにより、前記スリーブ部材の穴との係合のために前記ピンを解放する、請求項１に記載の接続器アセンブリ。
【請求項３】
前記ロッド部材および前記スリーブ部材は、周囲コンクリートを把持するように外部から構成または模様がつけられている、請求項１に記載の棒を接合する連結器または接続器。
【発明の詳細な説明】
【技術分野】
【０００１】
（発明の分野）
この発明は、中実の棒、管状の棒または普通丸鋼を接合する構成要素を構築することに関する。特に、コンクリート構造物における鉄筋を接合する連結器または接続器に関するが、それらに排他的に関するわけではない。
【背景技術】
【０００２】
（発明の背景）
建設産業において、棒を機械的に連結または接合する方法および装置が数多く存在する。直面する１つの重要な問題は、鉄筋コンクリート構造物において用いられる鉄筋の接合である。棒を溶接し合わせることが最も効果的な方法に見え得るが、溶接の処理は個々の棒のマルテンサイト構造に影響し、結果として強度不足の接合となる。
【０００３】
１つの先行技術の方法は、鉄筋の端部にねじ切りをすることによって接合し、結果として鉄筋は、めねじが切られた中間連結器にねじ込まれ得る。しかし、この方法は、強度の不利点を有し、直接棒自体にねじ切りしなければならず、それによって、鉄筋の外層を取り除き、結果として連結された接合の強度が減少する。
【０００４】
先行技術において鉄筋を接合するさらなる方法は、外管が、接合される棒の端部を覆って設置されることを要求し、棒を係合するためにフラクタブルスタッドかねじ込まれることを要求する。この方法はコストがかかり、連結器が正しくインストールされることを確実にすることは、現場作業技術に依存している。
【０００５】
さらなる方法は、棒のうちの１つを外管内に含むことを要求し、外管は、無収縮グラウトで満たされる。この方法は、非常に大きな外管を要求し、その外管は、しばしばコンクリート被覆要件に従うことができず、正しくインストールされるためには高レベルな技術を要求する。
【０００６】
さらなる方法は、鉄筋の端部が鍛造されることを必要とし、鍛造された端部は、棒を回転させる必要なく接続され得る。この方法は、第三の部分外側スリーブを要求するか、または建築中に接合された棒を含む他の方法を要求する。後者の方法の一例は、鍛造された端部が接合の同軸統合性を維持するために、スリーブを要求する凹凸のある胸壁、または、さねはぎつなぎ合わせに類似する場合である。この方法は、インストール中に外管または類似のデバイスによってきつく押し込まれなければならないという不利点を有する。
【０００７】
鉄筋を接合するさらなる方法は、おねじ、および、めねじがねじ切りされた端部を鉄筋のある長さまで一致させる摩擦溶接を要求する。これらの一致する端部は、棒を反対に回転させることによって接合され得、摩擦溶接される接合端部が一緒にねじられる。この方法は、長い棒が接合を一緒にねじることを完了させるために必要な回数だけ回転されることを要求する不利点を有する。
【０００８】
鉄筋を接合する上の先行技術の方法の全てにおいて、オペレーターの技術への依存があるだけでなく、しっかりした接合をもたらすためにはオペレーターの実際の不断の努力がある。オペレーターの一部の怠惰または不注意によって、棒の端部上で数回ねじられただけの接合の例がある。これは、特に、数階の鉄筋コンクリート構造体の統合性に依存する高層建築物において、悲惨な結果を有し得る。
【発明の概要】
【発明が解決しようとする課題】
【０００９】
（発明の目的）
そのため、先行技術の不利点の一部を対処しようとする、例えば鉄筋のような棒を接合する新規で革新的な連結器を提供することおよび公衆に代替の有用な選択を提供することも発明の目的である。
【課題を解決するための手段】
【００１０】
（発明の声明）
一局面において、発明は、棒を接合する連結器または接続器に属する。連結器または接続器は、管状のスリーブ部材の中に挿入されるように適合されている細長いロッド部材であって、ロッドおよびスリーブ部材は、各々、ロッド部材がスリーブ部材の中に挿入された場合、整列する１つ以上の横穴を有する、細長いロッド部材と、１つ以上の整列された穴を通過するように適合されている１つ以上の横ピンとを含み、使用において、ロッドおよびスリーブ部材は、接続される棒の自由な端部に取り付けられ、挿入された位置にある場合、横ピンは、整列された穴の中に駆動され得ることによって、ロッドおよびスリーブ部材を一緒にロックし、それによって、棒を接続する。
【００１１】
別の例において、発明は、棒を接合する連結器または接続器に属する。連結器または接続器は、１対の対向する管状のスリーブ部材の中に挿入されるように適合されている細長いロッド部材であって、ロッドおよびスリーブ部材は、各々、ロッド部材がスリーブ部材の中に挿入された場合、整列された１つ以上の横穴を有する、細長いロッド部材と、１つ以上の整列された穴を通過するように適合されている１つ以上の横ピンとを含み、使用において、対向するスリーブ部材は、接続される棒の自由な端部に取り付けられ、ロッド部材が挿入された位置にある場合、横ピンは、整列された穴の中に駆動され得ることによって、ロッドおよびスリーブ部材を一緒にロックし、それによって、棒を接続する。
【００１２】
別の例において、発明は、棒を接合する連結器または接続器に属する。連結器または接続器は、１対の対向する細長いロッド部材を受け入れる能力を有するように適合されている管状のスリーブ部材であって、ロッドおよびスリーブ部材は、各々、ロッド部材がスリーブ部材の中に挿入された場合、整列する１つ以上の横穴を有する、細長いロッド部材と、１つ以上の整列された穴を通過するように適合されている１つ以上の横ピンとを含み、使用において、対向するロッド部材は、接続される棒の自由な端部に取り付けられ、ロッド部材が挿入された位置にある場合、横ピンは、整列された穴の中に駆動され得ることによって、ロッドおよびスリーブ部材を一緒にロックし、それによって、棒を接続する。
【００１３】
発明の別の例において、細長いロッド部材およびスリーブ部材は、１つ以上の一致する形状とされた面を有することによって、細長い内側ロッドおよび外管スリーブの組立てを容易にする。内側の細長いロッドが管部材の中に挿入された場合、一致する形状とされる面は、それぞれの部分における穴を整列させ、組立て器は、ピンを無理のない容易さで挿入し得る。
【００１４】
代わりの例において、ピンは、スクリュー、ボルトまたはいずれか適切なファスナーによって置き換えられ得る。
【００１５】
さらに代わりの例において、ピンは、ばね負荷され得、細長いロッド部材の本体のくぼみに制限され得る。
【００１６】
連結器または接続器は、鋳造および／または機械加工された高張力鋼または同等強度の材料から適切に作られる。
【００１７】
好ましくは、棒へのロッドおよびスリーブ部材の取り付けは、摩擦溶接による。
【００１８】
代替案において、ロッドおよびスリーブ部材は、アーク溶接、ガス溶接、ねじ留め手段によってか、または他の容認可能な方法によって棒に取り付けられ得る。
【００１９】
透明な管または「クリップ留め」デバイスは、取り囲むコンクリートの打設および振動を含む建設段階中にピンを押し込めるために用いられ、それによって、調査するエンジニアが、ピンが適所にあることおよび接合が正しいことを確かめることを可能にする。
【００２０】
別の例において、ピンを押し込める単数または複数のロッド部材に関連付けられたプラスチックスリーブがあり得る。プラスチックスリーブは、単数または複数のロッド部材が単数または複数のスリーブ部材の中に挿入された場合に取り換えられ、それによって、単数または複数のスリーブ部材の穴との係合のためのピンを解放する。
【００２１】
整列可能な穴の数および横ピンの数は、接合された棒によって伝えられるように指定されている張力負荷に適切に依存する。
【００２２】
同様に、ロッドおよびスリーブ部材の寸法は、指定された負荷に適切に依存する。
【００２３】
そのため、ピンおよび整列可能な穴の寸法もピンによって耐えられるために要求されるせん断負荷によって決定される。
【００２４】
好ましくは、ピンは、穴との締まりばめを有する。
【００２５】
あるいは、ピンは、ピンが駆動される穴の一部を把持するふし部分を有し得る。
【００２６】
あるいは、ピンは、少し先細にされ得ることによって、向上した締まりばめを提供する。
【００２７】
好ましくは、ロッドおよびスリーブ部材は、ロッドおよびシリンダー構成の部材である。
【００２８】
あるいは、ロッドおよびスリーブ部材は、正方形構成または長方形構成または楕円形構成の部材であり得る。
【００２９】
好ましい型において、ロッドおよびスリーブ部材は、鉄筋の外面に一致する隆起部またはへこみを有することによって外部から構成または模様がつけられている。ロッドおよびスリーブ部材へ鉄筋が取り付けおよび接合され、隆起部またはへこみは、周囲コンクリートへの付着を改善することに関する。
本願明細書は、例えば、以下の項目も提供する。
（項目１）
棒を接合する連結器または接続器であって、
該連結器または接続器は、
管状のスリーブ部材の中に挿入されるように適合されている細長いロッド部材であって、該ロッドおよびスリーブ部材は、各々、該ロッド部材が該スリーブ部材の中に挿入された場合に、整列する１つ以上の横穴を有する、細長いロッド部材と、
該１つ以上の整列された穴を通過するように適合されている１つ以上の横ピンと
を含み、
使用において、該ロッドおよびスリーブ部材は、接続された該棒の自由な端部に取り付けられ、挿入された位置にある場合に、該横ピンは、該整列された穴の中に駆動されることが可能であることによって、該ロッドおよびスリーブ部材を一緒にロックし、それによって、該棒を接続する、棒を接合する連結器または接続器。
（項目２）
棒を接合する連結器または接続器であって、
該連結器または接続器は、
１対の対向する管状のスリーブ部材の中に挿入されるように適合されている細長いロッド部材であって、該ロッドおよびスリーブ部材は、各々、該ロッド部材が該スリーブ部材の中に挿入された場合に、整列する１つ以上の横穴を有している、細長いロッド部材と、
該１つ以上の整列された穴を通過するように適合されている１つ以上の横ピンと
を含み、
使用において、該対向するスリーブ部材は、接続された該棒の自由な端部に取り付けられ、該ロッド部材が挿入された位置にある場合に、該横ピンは、該整列された穴の中に駆動されることが可能であることによって、該ロッドおよびスリーブ部材を一緒にロックし、それによって、該棒を接続する、棒を接合する連結器または接続器。
（項目３）
棒を接合する連結器または接続器であって、
該連結器または接続器は、
１対の対向する細長いロッド部材を受け入れる能力を有するように適合されている管状のスリーブ部材であって、該ロッドおよびスリーブ部材は、各々、該ロッド部材が該スリーブ部材の中に挿入された場合に、整列する１つ以上の横穴を有している、管状のスリーブ部材と、
該１つ以上の整列された穴を通過するように適合されている１つ以上の横ピンと
を含み、
使用において、該対向するロッド部材は、接続された該棒の自由な端部に取り付けられ、該ロッド部材が挿入された位置にある場合に、該横ピンは、該整列された穴の中に駆動されることが可能であることによって、該ロッドおよびスリーブ部材を一緒にロックし、それによって、該棒を接続する、棒を接合する連結器または接続器。
（項目４）
前記ピンは、スクリュー、ボルトまたはいずれか他のファスナーによって置き換えられる、項目１に記載の棒を接合する連結器または接続器。
（項目５）
前記ピンは、スクリュー、ボルトまたはいずれか他のファスナーによって置き換えられる、項目２に記載の棒を接合する連結器または接続器。
（項目６）
前記ピンは、スクリュー、ボルトまたはいずれか他のファスナーによって置き換えられる、項目３に記載の棒を接合する連結器または接続器。
（項目７）
前記ピンは、ばね負荷されている、項目１に記載の棒を接合する連結器または接続器。
（項目８）
前記ピンは、ばね負荷されている、項目２に記載の棒を接合する連結器または接続器。
（項目９）
前記ピンは、ばね負荷されている、項目３に記載の棒を接合する連結器または接続器。
（項目１０）
棒への前記ロッドおよびスリーブ部材の取り付けは、摩擦溶接による、項目１に記載の棒を接合する連結器または接続器。
（項目１１）
棒への前記ロッドおよびスリーブ部材の取り付けは、摩擦溶接による、項目２に記載の棒を接合する連結器または接続器。
（項目１２）
棒への前記ロッドおよびスリーブ部材の取り付けは、摩擦溶接による、項目３に記載の棒を接合する連結器または接続器。
（項目１３）
前記ロッドおよびスリーブ部材は、前記棒にアーク溶接、ガス溶接またはねじ留め手段によって取り付けられる、項目１に記載の棒を接合する連結器または接続器。
（項目１４）
前記ロッドおよびスリーブ部材は、前記棒にアーク溶接、ガス溶接またはねじ留め手段によって取り付けられる、項目２に記載の棒を接合する連結器または接続器。
（項目１５）
前記ロッドおよびスリーブ部材は、前記棒にアーク溶接、ガス溶接またはねじ留め手段によって取り付けられる、項目３に記載の棒を接合する連結器または接続器。
（項目１６）
取り囲むコンクリートの打設および振動を含む建設段階中に前記ピンを押さえ込む透明な管のクリップ留めデバイスがあり、それによって、調査官が、該ピンが適所にあることおよび前記接合が正しく組み立てられていることを確認することを可能にする、項目１に記載の棒を接合する連結器または接続器。
（項目１７）
取り囲むコンクリートの打設および振動を含む建設段階中に前記ピンを押さえ込む透明な管のクリップ留めデバイスがあり、それによって、調査官が、該ピンが適所にあることおよび前記接合が正しく組み立てられていることを確認することを可能にする、項目２に記載の棒を接合する連結器または接続器。
（項目１８）
取り囲むコンクリートの打設および振動を含む建設段階中に前記ピンを押さえ込む透明な管のクリップ留めデバイスがあり、それによって、調査官が、該ピンが適所にあることおよび前記接合が正しく組み立てられていることを確認することを可能にする、項目３に記載の棒を接合する連結器または接続器。
（項目１９）
前記ピンを押さえ込むための前記単数または複数のロッド部材に関連付けられたプラスチックスリーブがあり、該プラスチックスリーブは、該単数または複数のロッド部材が該単数または複数のスリーブ部材の中に挿入された場合に取り換えられ、それによって、該単数または複数のスリーブ部材の穴との係合のために前記ピンを解放する、項目１に記載の棒を接合する連結器または接続器。
（項目２０）
前記ピンを押さえ込むための前記単数または複数のロッド部材に関連付けられたプラスチックスリーブがあり、該プラスチックスリーブは、該単数または複数のロッド部材が該単数または複数のスリーブ部材の中に挿入された場合に取り換えられ、それによって、該単数または複数のスリーブ部材の穴との係合のために前記ピンを解放する、項目２に記載の棒を接合する連結器または接続器。
（項目２１）
前記ピンを押さえ込むための前記単数または複数のロッド部材に関連付けられたプラスチックスリーブがあり、該プラスチックスリーブは、該単数または複数のロッド部材が該単数または複数のスリーブ部材の中に挿入された場合に取り換えられ、それによって、該単数または複数のスリーブ部材の穴との係合のために前記ピンを解放する、項目３に記載の棒を接合する連結器または接続器。
（項目２２）
整列可能な穴の数および横ピンの数は、前記接合された棒によって伝えられるように指定された張力負荷に依存する、項目１に記載の棒を接合する連結器または接続器。
（項目２３）
整列可能な穴の数および横ピンの数は、前記接合された棒によって伝えられるように指定された張力負荷に依存する、項目２に記載の棒を接合する連結器または接続器。
（項目２４）
整列可能な穴の数および横ピンの数は、前記接合された棒によって伝えられるように指定された張力負荷に依存する、項目３に記載の棒を接合する連結器または接続器。
（項目２５）
前記ロッドおよびスリーブ部材の寸法は、前記接合された棒によって送えられる指定された負荷に依存する、項目１に記載の連結器または接続器。
（項目２６）
前記ロッドおよびスリーブ部材の寸法は、前記接合された棒によって送えられる指定された負荷に依存する、項目２に記載の連結器または接続器。
（項目２７）
前記ロッドおよびスリーブ部材の寸法は、前記接合された棒によって送えられる指定された負荷に依存する、項目３に記載の連結器または接続器。
（項目２８）
前記ピンおよび整列可能な穴の寸法は、該ピンによって耐えられるために要求されるせん断負荷によって決定される、項目１に記載の棒を接合する連結器または接続器。
（項目２９）
前記ピンおよび整列可能な穴の寸法は、該ピンによって耐えられるために要求されるせん断負荷によって決定される、項目２に記載の棒を接合する連結器または接続器。
（項目３０）
前記ピンおよび整列可能な穴の寸法は、該ピンによって耐えられるために要求されるせん断負荷によって決定される、項目３に記載の棒を接合する連結器または接続器。
（項目３１）
前記ピンは、前記穴との締まりばめを有する、項目１に記載の棒を接合する連結器または接続器。
（項目３２）
前記ピンは、前記穴との締まりばめを有する、項目２に記載の棒を接合する連結器または接続器。
（項目３３）
前記ピンは、前記穴との締まりばめを有する、項目３に記載の棒を接合する連結器または接続器。
（項目３４）
前記ピンは、該ピンが駆動される前記穴の一部を把持するふし部分を有し得る、項目１に記載の棒を接合する連結器または接続器。
（項目３５）
前記ピンは、該ピンが駆動される前記穴の一部を把持するふし部分を有し得る、項目２に記載の棒を接合する連結器または接続器。
（項目３６）
前記ピンは、該ピンが駆動される前記穴の一部を把持するふし部分を有し得る、項目３に記載の棒を接合する連結器または接続器。
（項目３７）
前記ピンは、先細にされることによって、向上した締まりばめを提供する、項目１に記載の棒を接合する連結器または接続器。
（項目３８）
前記ピンは、先細にされることによって、向上した締まりばめを提供する、項目２に記載の棒を接合する連結器または接続器。
（項目３９）
前記ピンは、先細にされることによって、向上した締まりばめを提供する、項目３に記載の棒を接合する連結器または接続器。
（項目４０）
前記ロッドおよびスリーブ部材は、ロッドおよびシリンダー構成の部材である、項目１に記載の棒を接合する連結器または接続器。
（項目４１）
前記ロッドおよびスリーブ部材は、ロッドおよびシリンダー構成の部材である、項目２に記載の棒を接合する連結器または接続器。
（項目４２）
前記ロッドおよびスリーブ部材は、ロッドおよびシリンダー構成の部材である、項目３に記載の棒を接合する連結器または接続器。
（項目４３）
前記ロッドおよびスリーブ部材は、正方形構成または長方形構成または楕円形構成の部材である、項目１に記載の棒を接合する連結器または接続器。
（項目４４）
前記ロッドおよびスリーブ部材は、正方形構成または長方形構成または楕円形構成の部材である、項目２に記載の棒を接合する連結器または接続器。
（項目４５）
前記ロッドおよびスリーブ部材は、正方形構成または長方形構成または楕円形構成の部材である、項目３に記載の棒を接合する連結器または接続器。
（項目４６）
前記ロッドおよびスリーブ部材は、周囲コンクリートを把持するための隆起部またはへこみを有することによって外部から構成または模様がつけられている、項目１に記載の棒を接合する連結器または接続器。
（項目４７）
前記ロッドおよびスリーブ部材は、周囲コンクリートを把持するための隆起部またはへこみを有することによって外部から構成または模様がつけられている、項目２に記載の棒を接合する連結器または接続器。
（項目４８）
前記ロッドおよびスリーブ部材は、周囲コンクリートを把持するための隆起部またはへこみを有することによって外部から構成または模様がつけられている、項目３に記載の棒を接合する連結器または接続器。
【００３０】
発明をより理解し、実際に実行するために、ここで添付の例示に対して参照がなされる。
【図面の簡単な説明】
【００３１】
【図１】図１は、実施例１に従う鉄筋を接合する際に用いられる発明の好ましい実施形態の透視図を示す。
【図１Ａ】（記載なし）
【図２】図２は、発明の実施例２を示す。
【図２Ａ】（記載なし）
【図３】図３は、発明の実施例３を示す。
【図３Ａ】（記載なし）
【図４】図４および図４Ａは、発明の実施例４を示す。
【図４Ａ】図４および図４Ａは、発明の実施例４を示す。
【図５】図５〜５Ｃは、発明の実施例５を示す。
【図５Ａ】図５〜５Ｃは、発明の実施例５を示す。
【図５Ｂ】図５〜５Ｃは、発明の実施例５を示す。
【図５Ｃ】図５〜５Ｃは、発明の実施例５を示す。
【図６】図６および図６Ａは、発明の実施例６を示す。
【図６Ａ】図６および図６Ａは、発明の実施例６を示す。
【図７】図７および図７Ａは、発明の実施例７を示す。
【図７Ａ】図７および図７Ａは、発明の実施例７を示す。
【図８】図８および図８Ａならびに図９および図９Ａは、それぞれ、発明の実施例５および実施例１を用いたスリーブの使用を示す。
【図８Ａ】図８および図８Ａならびに図９および図９Ａは、それぞれ、発明の実施例５および実施例１を用いたスリーブの使用を示す。
【図９】図８および図８Ａならびに図９および図９Ａは、それぞれ、発明の実施例５および実施例１を用いたスリーブの使用を示す。
【図９Ａ】図８および図８Ａならびに図９および図９Ａは、それぞれ、発明の実施例５および実施例１を用いたスリーブの使用を示す。
【発明を実施するための形態】
【００３２】
（図面の詳細な説明）
実施例１
ここで、図、まずは図１を参照して、実施例１に従う発明に従う好ましい連結器または接続器１０の等角の透視図が示される。
【００３３】
この例における連結器または接続器は、鉄筋コンクリート構造物において用いられる鉄筋を接続するために用いられる。連結器または接続器は、雌管１４またはスリーブ部材の中に挿入されるように適合されている細長いロッド１２、もしくは雄部材を含む。１つ以上の穴１６、１８および２０、２２がロッドおよびスリーブ部材においてあり、穴は、ロッドがスリーブの中に挿入された場合、整列され得る。次いで、横ピン２４、２６は、ロッドおよびスリーブ部材をロックし合わせるために整列された穴の中に駆動される。本明細書において、前に説明したように、ピン部材は、わずかにテーパ、ふし部分を有するように構成され得るか、またはロッドおよびスリーブ部材の穴の中に強い締まりばめを提供する寸法であり、それによってピンをロックする。コンクリートが接続器の周りに注がれた場合、いずれの事象においてピンは、適所にあるままであることが当業者には明らかである。他の例または用途において、ピンは、スクリュー、ボルトまたはいずれか他の適切なファスナーによって置き換えられ得る。
【００３４】
ロッドおよびスリーブ部材は、好ましくは、鉄筋が供給業者または工場を離れたときに摩擦溶接によって鉄筋に接続される。代替案において、接合される鉄筋の端部上にロッドおよびスリーブ部材をねじ切りすることと、ねじ込むこととをもちろん含み得るロッドおよびスリーブ部材を接合する他の方法があり得る。
【００３５】
実施例２
図２は、発明１１の実施例２を示す。２つの対向するスリーブ部材３０、３２があり、接続される鉄筋（示されていない）に取り付けられている。別個のロッド部材３６は、整列された穴４４、４６、４７、４９の中に駆動されたピン３７、３８、４０、４２によって対向するスリーブ部材の中に挿入され、接続する。先に示したように、負荷耐久特性は、ピン（またはスクリュー、ボルトまたはいずれか他の適切なファスナー）が通り挿入される穴の数によって決定される。
【００３６】
実施例３
図３は、発明１３の実施例３を示す。２つの対向するロッド部材５０、５２があり、接続される鉄筋（示されていない）に取り付けられている。２つの対向するロッド部材は、別個のスリーブ部材５４の中に挿入され、ピン５６、５８、６０、６２は、整列された穴６４、６６、６８、７０および６５、６７、６３、６９の中に駆動される。先に示したように、負荷耐久特性は、ピン（またはスクリュー、ボルトまたはいずれか他の適切なファスナー）が通り挿入される穴の数によって決定される。
【００３７】
実施例４
図４は、発明の実施例４を示す。細長いロッド部材７２およびスリーブ部材７４は、１つ以上の一致する面７６、７８を有することによって、細長い内側ロッド７２および外管スリーブ７４の組立てを容易にする。内側の細長いロッドがスリーブ部材の中に挿入された場合、一致する面７６、７８は、それぞれの部分における穴８０、８２および穴８４、８６を整列させ、組立器は、ピン８８、９０を無理のない容易さで挿入し得る。
【００３８】
図４Ａは、完全な組立て７５としての図４の実施例４を示す。
【００３９】
実施例５
図５〜５Ｃは、発明の実施例５を示す。スリーブ部材１００の外面は、例えば、隆起部１０２、１０３、１０４を有し、それらは、鉄筋（示されていない）上の隆起部と一致する。これらの隆起部は、周囲コンクリートへの付着を改善することに関する。
【００４０】
図５Ａは、図５のロッド１０６およびスリーブ部材１００の分解組立て図を示す。ロッド部材は、ばね負荷もどり止めピン１０８〜１１４を有し、それらは、スリーブ部材における、例えば穴１０８ａ、１１０ａを係合する。もどり止めピンをキャプティブスプリング１１６〜１２２に対して押し、かつ止めねじ１２４〜１３０がロッド部材における適所に保持することによって、ロッド部材は、スリーブ部材の中に挿入され得、ピンは、スリーブ部材における穴を係合し、ばねの圧縮が解放されたときにロッドおよびスリーブ部材の両方を一緒にロックする。
【００４１】
図５Ｂは、図５のロッド１０６およびスリーブ部材１００の横断面を示し、スリーブ部材における穴１０７ａ〜１１０ａのオフセット位置およびロッド部材に収納された補助ピン部材１０８〜１１４のオフセット位置を示す。前に説明したように、圧縮ばね１１６〜１２２は、ピン部材に部分的に収納され、ロッド部材に配置された、ねじ切りされた止めねじ１２４〜１３０によって適所に固定される。
【００４２】
図５Ｃは、動作位置に挿入された図５Ｂのスリーブ１００およびロッド部材１０６の全体の組立てを示す。注意されるように、圧縮ばね１１６〜１１２が解放された場合、ピン部材１０８〜１１４は、スリーブ部材における穴１０７ａ〜１１０ａの中に完全に延在し、ロッドおよびスリーブ部材は、ピン部材を圧縮ばねに対して押した際にのみ、係合解除し得る。
【００４３】
実施例６
図６および図６Ａは、例えば、外部隆起部１４２、１４４、１４６、１４８を有するダブルスリーブ部材１４０を示す。隆起部は、ロッド部材１５０、１６０に接続される鉄筋（示されていない）の隆起部に一致する。
【００４４】
図６Ａは、図６の組立ての分解図を示す。対向するロッド部材１５０、１６０は、倍長スリーブ部材１４０の中に挿入される。ロッド部材は、ばねもどり止めピン１５２〜１５８およびばねもどり止めピン１６２〜１６８によってスリーブ部材を係合する。ばねもどり止めピン１５２〜１５８およびばねもどり止めピン１６２〜１６８は、スリーブ部材における穴１５２ａ、１５４ａおよび穴１６２ａ、１６４ａを係合する。
【００４５】
図５によって先に示し、説明したように、圧縮ばね１７０〜１７６および圧縮ばね１７８〜１９０に対して押すことは、ロッド部材をスリーブ部材の中に挿入することを可能にする。ピン部材が、スリーブ部材の穴、例えば１５２ａ、１５４ａ、１６２ａ、１６４ａに配置した場合に、ばねの圧縮が解放されると、ロッド部材は、スリーブ部材において固く係合される。
【００４６】
ロッド部材によって接合される鉄筋は示されないが、先に述べたように、実際は、ロッド部材の先細な端部１５０ａ、１６０ａに溶接される。
【００４７】
先の例とのように、ピンおよびばねは、止めねじ１９２〜１９８および止めねじ２００〜２０６によってロッド部材に保持される。
【００４８】
実施例７
図７および図７Ａは、図７に従う発明のさらなる例を示す。鉄筋（示されていない）は、対の対向するスリーブ部材３００、３１０に取り付けまたは接合されており、内部ロッド部材（隠されている）には取り付けまたは接合されていない。図７Ａにおいて示される内部ロッド部材３２０は、実施例５および実施例６に対して先に説明されたばね負荷もどり止めピン３２２〜３３６を含む。ピン部材は、スリーブ部材における穴３０２、３０４および穴３１２、３１４を係合する。この型においても、対向するスリーブ部材は、鉄筋（示されていない）上のリブと類似する態様で、リブを付けられ、例えば３０１、３０３および３１１、３１６、周囲コンクリートとのより強い把持をもたらす。
【００４９】
図８は、実施例５のスリーブ部材１００の中への挿入の前にロッド部材１０６のピン（示されていない）を押し込めるためのプラスチックスリーブ３４０の使用を示す。
【００５０】
図８Ａは、図８のプラスチックスリーブ組立ての分解図を示す。プラスチックスリーブ３４０は、ロッド部材１０６のピン（例えば、ピン１０８、１１０）をばね（示されていない）に対して圧縮されたままにする。ロッド部材１０６をスリーブ部材１００の中に挿入すると、プラスチックスリーブ３４０は、ロッド部材２０からスライドし、スリーブ部材の穴（例えば、１０８ａ、１１０ａ）を係合するためにピンを解放する。
【００５１】
図９は、ピン（示されていない）に実施例１の組立てのロッド部材１２およびスリーブ部材１４を接合させたままにするためのプラスチックスリーブ３４２の使用を示す。
【００５２】
図９Ａは、図９の分解図を示す。プラスチックスリーブ３４２はスライドし、スリーブ部材１４にかぶさり、ピン２４、２６をロッド部材における穴１６、１８を通過する位置に保つ。この型において、プラスチックスリーブは、スライドされないが、ピンを適所に保つキーパーとして機能する。
【００５３】
先に示したように、連結器または接続器は、高張力鋼から製造されるか、または同等強度を有する、将来発展し得る材料から製造され得る。用いられる穴の数およびピンの数は、連結された接合の強度または接合された鉄筋によって耐えられる負荷に従って変わり得ることが当業者には明らかである。
【００５４】
鉄筋によって耐えられる張力負荷は、ピンにかかるせん断力に変換されることが明らかである。
【００５５】
本明細書において説明される好ましい連結器または接続器の利点は、以下の通りであると予想される。
・棒は、回転される必要はなく、長い鉄筋が接合される場合、回転することは非常に難しい；
・製造された連結機構のセットの摩擦溶接は、溶接された接合の溶接後熱処理を要求せず、脆さの原因となり得る熱に影響された領域を有さない；
・鉄筋のねじ切りに起因する接合における強度の損失はない；
・熟練したオペレーターが棒を接続することは要求されず、グラウト詰めに対する時間遅延もしくはグラウト混合またはトルク調整に関するリスクもない；
・連結機構のセットの外側半分は、柱における重要なコンクリート被覆が工学要件に従うような直径である；
・いずれの長さの棒が接合され得る。
【００５６】
（変形例）
先述したことは、この発明の例示的例として付与されたが、それらに対する当業者に明らかな全ておよび他の改変および変形例は、本明細書において記述されたように広い範囲内であり、この発明の範囲内に一致することに、もちろん気付かれる。
【００５７】
明細書において、用語「ｃｏｍｐｒｉｓｉｎｇ」および「ｃｏｎｔａｉｎｉｎｇ」は、用語「ｉｎｃｌｕｄｉｎｇ」に類似した広い意味を有するとして理解されるべきであり、定まった整数または工程もしくは整数の群または工程の群を含むことを意味するが、いずれか他の整数または工程もしくは整数の群または工程の群を排除することを意味しないことが理解される。この規定は、「ｃｏｍｐｒｉｓｅ」、「ｃｏｍｐｒｉｓｅｓ」、「ｃｏｎｔａｉｎ」および「ｃｏｎｔａｉｎｓ」のような用語「ｃｏｍｐｒｉｓｉｎｇ」および「ｃｏｎｔａｉｎｉｎｇ」の変形例にも適用される。
【図１】
2014231735.tif 000003
【図１Ａ】
2014231735.tif 000004
【図２】
2014231735.tif 000005
【図２Ａ】
2014231735.tif 000006
【図３】
2014231735.tif 000007
【図３Ａ】
2014231735.tif 000008
【図４】
2014231735.tif 000009
【図４Ａ】
2014231735.tif 000010
【図５】
2014231735.tif 000011
【図５Ａ】
2014231735.tif 000012
【図５Ｂ】
2014231735.tif 000013
【図５Ｃ】
2014231735.tif 000014
【図６】
2014231735.tif 000015
【図６Ａ】
2014231735.tif 000016
【図７】
2014231735.tif 000017
【図７Ａ】
2014231735.tif 000018
【図８】
2014231735.tif 000019
【図８Ａ】
2014231735.tif 000020
【図９】
2014231735.tif 000021
【図９Ａ】
2014231735.tif 000022
【外国語明細書】
2014231735000001.pdf